(57)【要約】【課題】手摺りＡによりつたい歩きをしたときにも安定した状態で痛みなく使用でき、手摺りＡを平行方向及び斜め方向に施工した場合であっても安定して握ることができ、手摺りＡを１種類の連結部材１０や接続部材１５で取付けできるようにする。【解決手段】手摺りＡは、平らな上面部１と、この上面部１の左右両端に滑らかに連続する左右１対の指掛け凸部２，２と、この各指掛け凸部２，２の下端に連続し、指の第１関節よりも先端部が収まる左右１対の指先凹部３，３とを備えていて、横断面形状が左右対称の形状とする。【選択図】図１
2010138583.tif 000002
【特許請求の範囲】
【請求項１】
平らな上面部と、
上記上面部の左右両端に滑らかに連続する左右１対の指掛け凸部と、
上記各指掛け凸部の下端に位置し、握ったときに指の第１関節よりも先端部が収まる左右１対の指先凹部とを備えていて、
横断面形状が左右対称の形状であることを特徴とする手摺り。
【請求項２】
請求項１の手摺りにおいて、
左右方向の幅が４０ｍｍ以上でかつ５０ｍｍ以下であり、
上面部から指掛け凸部下部の指先凹部底部までの高さが１７ｍｍ以上でかつ２３ｍｍ以下であることを特徴とする手摺り。
【請求項３】
請求項１又は２の２つの手摺りが各々の端部で連結部材により接続されて互いに連結され、
上記一方の手摺りは階段に設けられている一方、他方の手摺りは、該階段に連続する廊下に設けられていることを特徴とする手摺りの接続構造。
【発明の詳細な説明】
【技術分野】
【０００１】
本発明は、手摺り及びその接続構造に関し、特に使用勝手や施工性のよい手摺りに関する。
【背景技術】
【０００２】
一般に、手摺りを廊下、階段、玄関等の場所に取り付ける際には、廊下の曲がり角や、階段の角度が変わる部分等において、連結部材（ジョイント）を用いて手摺り同士を接続するとともに、壁面に取り付けたり（例えば、特許文献１参照）、手摺りの端部において、端部部材を用いて壁面に取り付けたりすることが行われる。
【０００３】
ところで、このような廊下、階段、玄関等の場所に用いる手摺りとして、従来、横断面形状が円形の手摺りがよく知られているが、このような横断面形状が円形の手摺りは、廊下や玄関等においてそれらと平行方向に施工されると、手摺りの上面に肘や腕を置してつたい歩きをしたとき、接触面積が小さいために滑り易く、また使用者に痛みを与え易いものであった。
【０００４】
また、手摺りを握るときに、指先が引っ掛かる部分がなくて滑り易く、特に、手の平が乾いた状態や、手摺りを軽く握った状態では、非常に滑り易くなって使い難くなる。
【０００５】
尚、横断面形状が平板状からなる手摺りの場合、手摺りの上面に肘や腕等を置き、つたい歩きをするときの痛みは生じないが、握り難く、指を引っ掛ける部分もなく、非常に使い難いものであった。
【０００６】
これを解決するものとして、特許文献２に記載の手摺りが提案されている。この特許文献２に示される手摺りは、上面に平らな面を備えるとともに、通路側と壁側とで鉛直方向の厚みを異にし、壁側の厚みを小さく、通路側の厚みを大きく設定し、壁側の側面に指掛け部を備えたものである。そのため、上面の平らな面に肘や腕等を置くときに、安定した状態で、痛みをなくすことができ、かつ、指掛け部に人差指、中指等の指先端を引っ掛けることができるため、横断面形状が円形の手摺りよりも安定した状態で握ることができる。
【特許文献１】特開２００８−１９５８３号公報
【特許文献２】特開２００４−２６３４０９号公報
【発明の開示】
【発明が解決しようとする課題】
【０００７】
しかしながら、その反面、この特許文献２に示される手摺りは、例えば、階段において手摺りを斜め方向に施工し、階段を登る際に握ろうとした際に、親指の引っ掛かる部分がなく、安定して手摺りを握り難いものであった。このことは、特に、傾斜が急な階段に用いた場合や、握力が弱い高齢者が握ろうとした際に顕著であった。そのため、特に階段においては、廊下とは別の形状の握り易い形状の手摺りを用意することが必要となる。
【０００８】
さらに、上記特許文献１に示されるように、連結部材を用いて手摺り同士を接続して壁面に取り付けたり、手摺りの端部において端部部材を用いて壁面に取り付けたりする場合、特許文献２の手摺りは横断面形状が左右で異なる、換言すれば横断面形状が左右対称ではないため、例えば廊下の右側の壁面に手摺りを取り付けるためには右側取付用の、また左側の壁面に手摺りを取り付けるためには左側取付用の、それぞれ連結部材（特許文献２では変換アダプタ）や端部部材が必要になるという問題があった。
【０００９】
本発明は斯かる点に鑑みてなされたものであり、その目的は、手摺りの構造に工夫を加えることにより、手摺りによりつたい歩きをしたときに安定した状態で痛みなく使用でき、手摺りを斜め方向に施工した場合であっても安定して握ることができ、手摺りを１種類の連結部材や端部部材で取り付けることができるようにすることにある。
【課題を解決するための手段】
【００１０】
上記の目的を達成するために、請求項１の発明の手摺りは、平らな上面部と、この上面部の左右両端に滑らかに連続する左右１対の指掛け凸部と、この各指掛け凸部の下端に位置し、手摺りを握ったときに指の第１関節よりも先端部が収まる（当接する）左右１対の指先凹部とを備えていて、横断面形状が左右対称の形状であることを特徴としている。
【００１１】
この請求項１の発明では、手摺りの上面部が平らであるため、手摺りを床面と平行方向に施工し、使用者が上面に肘や腕等を置いてつたい歩きをするときに、安定した状態で痛みなく使用できる。
【００１２】
また、手摺りの左右に上面部の左右両端から滑らかに連続する指掛け凸部が備えられ、その各指掛け凸部の下端に、指の第１関節よりも先端部が収まる指先凹部が形成されているため、使用者が手摺りを握ったとき、一方の指掛け凸部に親指を掛けてその第１関節よりも先端部を一方の指先凹部に収めるとともに、他方の指掛け凸部に人差指、中指等を掛け、その指の第１関節よりも先端部を他方の指先凹部に収めることができ、手摺りを斜め方向に施工した場合であっても安定して手摺りを握ることができる。
【００１３】
さらに、手摺りの横断面形状が左右対称の形状であるため、横断面形状に合った１種類の連結部材や端部部材のみで取付施工することができるとともに、手摺りを平行方向に施工した場合であっても、斜め方向に施工した場合であっても、安定して使用することができる。
【００１４】
請求項２の発明では、手摺りの左右方向の幅が４０ｍｍ以上でかつ５０ｍｍ以下（４０〜５０ｍｍ）であり、上面部から指掛け凸部下部の指先凹部底部までの高さが１７ｍｍ以上でかつ２３ｍｍ以下（１７〜２３ｍｍ）であることを特徴とする。
【００１５】
この請求項２の発明では、手摺りの左右方向の幅が４０〜５０ｍｍであり、親指の根元から人差し指の第３関節までの距離に近い寸法である一方、手摺りの上面部から指掛け凸部下部の指先凹部底部までの高さが１７〜２３ｍｍであるので、手の小さい人ないし大きい人のいずれにおいても、親指と、人差指、中指等を指掛け凸部に指を掛けて握り易くなる。
【００１６】
請求項３の発明では、請求項１又は２の２つの手摺りが各々の端部で連結部材により接続されて互いに連結され、上記一方の手摺りは階段に設けられている一方、他方の手摺りは、該階段に連続する廊下に設けられていることを特徴とする。
【００１７】
この請求項３の発明では、階段に設けられている手摺りと、その階段に連続する廊下に設けられている手摺りとが各々の端部で連結部材により接続されて互いに連結されているので、階段及び廊下の双方で安定して手摺りを使用することができる。
【００１８】
また、階段及び廊下で同じ形状の手摺りが使用されているので、階段及び廊下で各々の使用に適した互いに異なる形状の手摺りを使用する場合に比べて、施工性がよいとともに、連続する階段及び廊下で手摺りの形状が全て揃ったものとなり、意匠性もよい。
【発明の効果】
【００１９】
以上説明した如く、請求項１の発明の手摺りによると、平らな上面部の左右両端に滑らかに連続する１対の指掛け凸部を形成し、この各指掛け凸部の下端に、指の第１関節よりも先端部が収まる左右１対の指先凹部を設けて、横断面形状を左右対称の形状としたことにより、使用者が手摺りの上面に肘や腕等を置いてつたい歩きをするときに、安定した状態で痛みなく使用できるとともに、斜め方向に施工した手摺りでも安定して握ることができ、さらには、横断面形状に合った１種類の連結部材や端部部材のみで取付施工でき、手摺りを平行方向又は斜め方向に施工した場合であっても、安定して使用することができる。
【００２０】
請求項２の発明によると、手摺りの左右方向の幅を４０〜５０ｍｍとして、親指の根元から人差し指の第３関節までの距離に近い寸法とし、上面部から指掛け凸部下部の指先凹部底部までの高さを１７〜２３ｍｍとしたことにより、手の小さい人ないし大きい人のいずれにおいても、親指と、人差指、中指等を指掛け凸部に指を掛けて握り易くなる。
【００２１】
請求項３の発明によると、階段に設けられている手摺りと、その階段に連続する廊下に設けられている手摺りとを各々の端部で連結部材に接続して互いに連結したことにより、階段及び廊下の双方で安定して手摺りを使用することができ、階段及び廊下で各々の使用に適した互いに異なる形状の手摺りを使用する場合に比べて、施工性がよいとともに、連続する階段及び廊下で手摺りの形状が全て揃ったものとなり、意匠性もよい。
【発明を実施するための最良の形態】
【００２２】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２３】
（手摺り）
図１及び図２は本発明の実施形態に係る手摺りＡを示す。この手摺りＡの材料としては、例えば合板、無垢材、集成材等の木質材料や、その他に金属、合成樹脂等を用いることができる。これらの材料に応じて、滑り止めや触った際の冷感を軽減する目的で表面に塗装等を施しておいてもよい。
【００２４】
上記手摺りＡは、平らな面（平面）からなる上面部１と、この上面部１の左右両端（幅方向の両端）にそれぞれ滑らかに連続し、使用者が手摺りＡを上側から握ったときに指の中間部が掛かる円弧面からなる左右１対の指掛け凸部２，２と、これら指掛け凸部２，２の下端にそれぞれ位置し、上記指掛け凸部２，２に掛かった指の第１関節よりも先端部が収まる（当接する）左右１対の指先凹部３，３と、これらの指先凹部３，３同士を接続する１つの半径の円弧面からなる下部４とを備え、手摺りＡの横断面形状は左右対称の形状とされている。
【００２５】
上記左右の指掛け凸部２，２の各々は、例えば互いに同じ高さ位置でかつ左右中央から対称の位置に中心を持つ所定の曲率半径Ｒ１の断面円弧形状の円弧面（曲面）で構成され、この左右の指掛け凸部２，２と上面部１とは滑らかに連続して形成されており、手摺りＡを握った際に痛みがない形状となっている。尚、指掛け凸部２は、断面略円弧形状の円弧面（曲面）で構成することもできる。
【００２６】
手摺りＡは、例えば図３に示すように、一方（図３左側）の指掛け凸部２が壁面Ｃ側に、また他方（図３右側）の指掛け凸部２が廊下Ｂ１、階段Ｂ２、踊り場Ｂ３の通路側にそれぞれ位置付けられるように取付施工され、使用者が手摺りＡを握った（掴んだ）ときに、上記壁面Ｃ側の指掛け凸部２は人差指、中指等の指を掛けるものであり、通路側の指掛け凸部２は親指を掛けるものである。また、同様に、上記壁面Ｃ側の指先凹部３は人差指、中指等の指の先端部を収めるものであり、通路側の指先凹部３は親指の先端部を収めるものである。指掛け凸部２，２の表面には、エンボスや溝等の滑り止め加工を施しておいてもよい。
【００２７】
また、手摺りＡの下部４は例えば正円（真円）の一部をカットした曲率半径Ｒ２の断面円弧状の円弧面からなっている（その円弧中心は左右中央にある）。
【００２８】
手摺りＡの左右方向の幅Ｗは、手摺りＡを上側から握ったときの親指の根元から人差し指の第３関節までの距離に近い４０ｍｍ以上でかつ５０ｍｍ以下（４０〜５０ｍｍ）とされている。
【００２９】
また、手摺りＡの上面部１から指掛け凸部２下部の指先凹部３底部までの高さＨは、指を曲げて手摺りＡを上側から握った際に、人差し指の指先から第１関節までの間の指の腹部、及び親指の指先から第１関節までの間の指の腹部が、それぞれ指掛け凸部２下部の指先凹部３に当たるように、１７ｍｍ以上でかつ２３ｍｍ以下（１７〜２３ｍｍ）とされている。
【００３０】
この実施形態での具体例として、手摺りＡの左右方向の幅Ｗは例えばＷ＝４５ｍｍ、上面部１から下部４下端までの上下方向の全高さは例えば３０ｍｍ、左右の各指掛け凸部２，２の円弧面の曲率半径Ｒ１が例えばＲ１＝１０ｍｍ、上面部１から指掛け凸部２下部の指先凹部３底部までの高さＨは例えばＨ＝２０ｍｍ、下部４の円弧曲率半径Ｒ２は、最も一般的な直径３５ｍｍの横断面円形状の手摺りに合わせて、例えばＲ２＝１７.５ｍｍとされている。
【００３１】
上記手摺りＡは、例えば廊下、階段、玄関等の場所の壁面に取り付けられる。例えば図４は、廊下Ｂ１の壁面Ｃと、この廊下Ｂ１に連続する階段Ｂ２の壁面Ｃと、その踊り場Ｂ３の壁面Ｃとに亘り上記３つの手摺りＡ，Ａ，…を取り付けた場合の接続構造を示す。１つ目の手摺りＡは階段Ｂ２の壁面Ｃに複数のブラケット６，６，…を介して取り付けられ、２つ目の手摺りＡは、該階段Ｂ２に連続する廊下Ｂ１の壁面に同様のブラケット６，６，…を介して取り付けられ、３つ目の手摺りＡは、階段Ｂ２の踊り場Ｂ３の壁面Ｃに同様のブラケット６，６，…を介して取り付けられており、これら隣り合う２つの手摺りＡ，Ａは各々の端部で１つの連結部材１０（ジョイント）及び２つの接続部材１５，１５により接続されて互いに連結されている。
【００３２】
（ブラケット）
そして、図３に示すように、上記各手摺りＡを壁面Ｃに取付固定するためのブラケット６は、略Ｌ字状に折り曲げられたもので、例えば亜鉛合金、アルミニウム合金等の金属製である。このブラケット６には、その一端（下端）に壁固定部７が、また他端（上端）に手摺り固定部８がそれぞれ一体に設けられている。壁固定部７はプレート状のもので、壁面Ｃにねじ等により取付固定される。手摺り固定部８は、上面に手摺りＡの下部４に対応した断面円弧状の凹部８ａを有し、この凹部８ａに手摺りＡの下部４を載置した状態で手摺り固定部８が手摺りＡにねじ等により取付固定されている。
【００３３】
（連結部材及び接続部材）
上記連結部材１０は、断面円形状の手摺りＡを連結する場合に用いられる一般的で公知のものであり、例えば亜鉛合金、アルミニウム合金等の金属製である。この連結部材１０は、図５に拡大して示すように、略円筒状の連結部材本体１１と、この連結部材本体１１の軸方向両端部に揺動可能に取り付けられる可動部１２，１２とを備えている。この各可動部１２は連結部材本体１１内に挿入されて連結支持される略半球状の基部１２ａと、この基部１２ａに一体に形成され、軸方向の外側に向かって開放された有底円筒状の手摺り取付部１２ｂとからなり、この手摺り取付部１２ｂには、直径方向に互いに対向する位置に第１ねじ１４が挿入される１対のねじ挿入孔１３，１３が貫通して形成されている。そして、各可動部１２は、その中心軸が連結部材本体１１の中心軸と一致する位置と、該連結部材本体１１の中心軸に対して略４５度傾いた位置との間を同じ可動平面上で揺動するように構成されている。
【００３４】
一方、上記接続部材１５は、連結部材１０と各手摺りＡとの間にそれぞれに嵌合するように設けられるもので、上記断面円形状の手摺りを連結するための一般的な連結部材１０と、断面円形状とは異なる本実施形態の上記手摺りＡとを接続できるようになっている。
【００３５】
すなわち、接続部材１５は、図６にも示すように、軸方向の一端側に上記連結部材１０に嵌入される円筒状の連結部材側嵌合部１６を、また軸方向の他端側に連結部材側嵌合部１６と連続して形成され、上記手摺りＡに嵌合される筒状の手摺り側嵌合部１７をそれぞれ備えている。
【００３６】
具体的には、連結部材側嵌合部１６は、連結部材１０における可動部１２の手摺り取付部１２ｂ内に嵌入されるように断面円形状に形成されている。一方、手摺り側嵌合部１７は、上記手摺りＡの端部に外嵌合するように形成され、手摺りＡの指掛け凸部２，２、指先凹部３，３及び下部４に沿うように形成された外枠部１７ａと、この外枠部１７ａの内側に手摺りＡの上面部１に沿うように形成された平面対応部１７ｂとを有する。
【００３７】
そして、上記連結部材側嵌合部１６には、１対の第１ねじ挿入孔１８，１８と１対の第２ねじ挿入孔１９，１９とがそれぞれ設けられている。
【００３８】
上記連結部材側嵌合部１６と手摺り側嵌合部１７との間の内側には板状の境界部２０が一体に形成されている。この境界部２０には１対の第４ねじ挿入孔２１，２１が直径方向に互いに対向する位置に貫通して設けられ、これら第４ねじ挿入孔２１，２１には、接続部材１５を手摺りＡの端面に固定するための第２ねじ２２が挿入される。上記境界部２０は、これら第４ねじ挿入孔２１，２１間を連結する部分と、この連結部分に直交するように延びる部分とで略十字状に形成され、この境界部２０を除く４つの開口部分は第３ねじ挿入部２３に設けられている。尚、この第３ねじ挿入部２３は、図示しないが、手摺りＡを端部で壁面Ｃに接続する場合に用いられるエンドブラケットを手摺りＡに固定するためのねじが軸方向に挿入される。
【００３９】
上記接続部材１５は、例えば亜鉛合金、アルミニウム合金等の金属や、ポリプロピレン（ＰＰ）樹脂、ポリエチレン（ＰＥ）樹脂、アクリロニトリル−ブタジエン−スチレン（ＡＢＳ）樹脂、塩化ビニル樹脂等の各種合成樹脂等で成形することができる。
【００４０】
さらに、図５に示すように、上記連結部材側嵌合部１６の内部には円柱状の固定補助部材２６が配置される。この固定補助部材２６は、上記連結部材１０の可動部１２のねじ挿入孔１３と接続部材１５の第１ねじ挿入孔１８とに挿入された第１ねじ１４を螺合させて保持するものであり、木質繊維板（ＩＢ、ＭＤＦ等）、木削片板（パーティクルボード、ストランドボード、ＯＳＢ等）、無垢材、集成材、合板、その他の木質材料や合成樹脂等の中から選択することができる。
【００４１】
（手摺りの施工方法）
次に、上記手摺りＡ，Ａ同士を連結部材１０及び接続部材１５，１５により接続する方法について説明する。まず、各手摺りＡの端部に接続部材１５を取り付ける。具体的には、各手摺りＡを上面部１が上側に位置するように配置し、その手摺りＡの端部に接続部材１５の手摺り側嵌合部１７を外嵌合した後、連結部材側嵌合部１６側から、各第２ねじ２２を第４ねじ挿入孔２１に挿入して手摺りＡの端面にねじ込み、接続部材１５を手摺りＡに固定して一体化する。
【００４２】
そして、連結部材１０の可動部１２を回動させて階段Ｂ２と廊下Ｂ１及び踊り場Ｂ３との間の角度に対応させる。階段Ｂ２と廊下Ｂ１との間では、連結部材１０において廊下Ｂ１側の手摺りＡを取り付ける可動部１２は、その中心軸が連結部材本体１１の中心軸と同軸となる位置に配置し、反対側（階段Ｂ２側）の可動部１２は、その中心軸が連結部材本体１１の中心軸に対して階段Ｂ２の傾斜角と同じ傾きとなるように配置する。また、階段Ｂ２と踊り場Ｂ３との間では、連結部材１０の踊り場Ｂ３側の手摺りＡを取り付ける可動部１２は、その中心軸が連結部材本体１１の中心軸と同軸となる位置に配置し、反対側（階段Ｂ２側）の可動部１２は、その中心軸が連結部材本体１１の中心軸に対して階段Ｂ２の傾斜角と同じ傾きとなるように配置する。
【００４３】
さらに、固定補助部材２６を各接続部材１５の連結部材側嵌合部１６内に嵌合した後、この固定補助部材２６が嵌合された連結部材側嵌合部１６を連結部材１０の手摺り取付部１２ｂに嵌入して、その手摺り取付部１２ｂの各ねじ挿入孔１３と、連結部材側嵌合部１６の第１ねじ挿入孔１８とを合致させ、この合致したねじ挿入孔１３，１９に第１ねじ１４を挿通して、固定補助部材２６にねじ込む。このことで、連結部材１０と接続部材１５とが固定されて、この接続部材１５を介して手摺りＡと連結部材１０とが接続される。
【００４４】
上記のようにして廊下Ｂ１及び階段Ｂ２の手摺りＡ，Ａ同士、並びに階段Ｂ２及び踊り場Ｂ３の手摺りＡ，Ａ同士をそれぞれ連結部材１０，１０によって所定の角度で連結し、これらの連結部材１０，１０を廊下Ｂ１と階段Ｂ２との境界部及び階段Ｂ２と踊り場Ｂ３との境界部にそれぞれ配置し、各手摺りＡをブラケット６を介して壁面Ｃに取り付ければよい。
【００４５】
尚、このように、従来の横断面形状が円形の手摺り用の連結部材１０をそのまま使用するために、手摺り側嵌合部１７の形状が手摺りＡの横断面形状に合った接続部材１５を使用して連結する場合の構成や施工の詳細は、本出願人が先に出願したものと同じである（特願２００７−１５１５０５号明細書及び図面参照）。
【００４６】
したがって、この実施形態に係る手摺りＡにおいては、その上面部１が平らであるので、図４に示すように、手摺りＡを床面と平行方向に施工し、使用者が上面に肘や腕等を置いてつたい歩きをするときに、使用者は安定した状態で痛みなく使用することができる。
【００４７】
また、手摺りＡの左右に上面部１の左右両端から滑らかに連続する指掛け凸部２，２が形成され、その指掛け凸部２，２の下端に、それぞれ指の第１関節よりも先端部が収まる指先凹部３，３が連続して位置しているため、使用者が手摺りＡを握ったとき、壁面Ｃ側の指掛け凸部２に人差指、中指、薬指、小指を掛け、その各指の第１関節よりも先端部を該指掛け凸部２下側の指先凹部３に収めるとともに、壁面Ｃと反対側の指掛け凸部２に親指を掛けてその第１関節よりも先端部を該指掛け凸部２下側の指先凹部３に収めることができ、手摺りＡを階段Ｂ２において斜め方向に施工した場合であっても、その手摺りＡを安定して握ることができる。
【００４８】
そして、本実施形態に係る手摺りＡの左右方向の幅ＷがＷ＝４０〜５０ｍｍであり、親指の根元から人差し指の第３関節までの距離に近い寸法である一方、手摺りＡの上面部１から各指掛け凸部２下部の指先凹部３底部までの高さＨがＨ＝１７〜２３ｍｍであるので、手の小さい人ないし大きい人のいずれであっても、親指と、人差指、中指等とを指掛け凸部２，２に掛けて握り易くなる。
【００４９】
また、手摺りＡの下部４が正円（真円）の一部をカットした円弧面であるため、従来の横断面円形状の手摺りＡを壁面に取付固定するのと同じブラケット６を用いて、本実施形態の手摺りＡを壁面に取り付けることができる。
【００５０】
また、こうして従来の横断面円形状の手摺りＡと同じブラケット６を用いることができるので、特殊なブラケットは不要となり、既存のブラケット６をそのまま使用できる。また、その既存のブラケット６を壁面Ｃに取り付けたまま、手摺りＡのみを取り換えることもできる。
【００５１】
このような手摺りＡが階段Ｂ２、その階段Ｂ２に連続する廊下Ｂ１及び踊り場Ｂ３にそれぞれ設けられ、これらの手摺りＡ，Ａ，…が、各々の端部で連結部材１０（ジョイント）により接続されて互いに連結されているので、階段Ｂ２と廊下Ｂ１及び踊り場Ｂ３とに亘り安定して手摺りＡ，Ａ，…を使用することができる。
【００５２】
また、階段Ｂ２と廊下Ｂ１及び踊り場Ｂ３とでいずれも同じ形状の手摺りＡが使用されているので、それらの各々の使用に適した互いに異なる形状の手摺りを使用する場合に比べて、施工性がよくなる。しかも、連続する廊下Ｂ１、階段Ｂ２及び踊り場Ｂ３で手摺りＡの形状が全て揃ったものとなり、意匠性も好ましい。
【００５３】
さらに、手摺りＡの横断面形状が左右対称の形状であるため、横断面形状に合った１種類の接続部材１５と連結部材１０を用意しておいて、それらのみで手摺りＡを取付施工することができる。すなわち、本実施形態のように、手摺りＡ，Ａ同士を、従来の横断面形状が円形の連結部材１０をそのまま用いて連結するに当たり、そのために必要な接続部材１５は、取付部１１の形状（手摺り側嵌合部１７）が手摺りＡの横断面形状に合った１種類のものを用意すればよく、断面形状が左右非対称の形状の手摺りを施工する場合のような２種類の接続部材は必要ない。
【００５４】
また、手摺りＡを廊下Ｂ１や踊り場Ｂ３において床面と平行方向に施工した場合であっても、階段Ｂ２で斜め方向に施工した場合であっても、安定して使用することができる。
【００５５】
（その他の実施形態）
尚、上記実施形態では、手摺りＡ，Ａ同士を、横断面形状が円形の連結部材１０をそのまま用いて連結するために、連結部材１０と手摺りＡとの間に接続部材１５を用いているが、手摺りＡの断面形状に対応するように形成されて該手摺りＡをそのまま嵌合可能な手摺り取付部を有する連結部材を用いれば、接続部材１５を要することなく手摺りＡ，Ａ同士を直接連結部材により連結することができる。
【００５６】
また、上記実施形態では、廊下Ｂ１と階段Ｂ２及び踊り場Ｂ３との間に手摺りＡ，Ａ，…を取り付けているが、その他の箇所に手摺りＡを取り付け得るのは勿論である。
【産業上の利用可能性】
【００５７】
本発明は、廊下や階段に設けられる手摺りの使い勝手や施工性を高めることができるので、極めて有用で産業上の利用可能性が高い。
【図面の簡単な説明】
【００５８】
【図１】図１は本発明の実施形態に係る手摺りの拡大断面図である。
【図２】図２は手摺りの斜視図である。
【図３】図３は図４のlll−lll線拡大断面図である。
【図４】図４は３つの同じ手摺りを廊下と階段と踊り場とに施工した状態を示す斜視図である。
【図５】図５は２つの手摺り同士を連結部材及び接続部材により接続する構造を示す分解斜視図である。
【図６】図６は接続部材を示し、図６（ａ）は手摺り側嵌合部を見た側面図であり、図６（ｂ）は連結部材側嵌合部を見た側面図である。
【符号の説明】
【００５９】
Ａ  手摺り
Ｂ１  廊下
Ｂ２  階段
Ｂ３  踊り場
Ｃ  壁面
１  上面部
２  指掛け凸部
３  指先凹部
６  ブラケット
１０  連結部材
１５  接続部材
Ｒ１  指掛け凸部の円弧曲率半径
Ｗ  左右方向の幅
Ｈ  上面部から指掛け凸部下部の指先凹部底部までの高さ
【図１】
2010138583.tif 000003
【図２】
2010138583.tif 000004
【図３】
2010138583.tif 000005
【図４】
2010138583.tif 000006
【図５】
2010138583.tif 000007
【図６】
2010138583.tif 000008